(57)【要約】      （修正有）【課題】皮膚のたるみ量を測定する方法、及び当該方法を用いた化粧品等の評価方法を提供する。【解決手段】水平位、垂直位の２姿勢の画像を解析することでたるみ量を評価する方法において、水平位の画像撮影時に測定点を設定し、さらにその測定点を中心として、その周りを囲むように計測手段を備えた測定具を適用し、水平位、垂直位の２姿勢の画像を重ね合わせた際に得られる各測定点の変移距離を、前記測定具を用いることで、三次元的な数値を簡便にニ次元平面上で解析できるようにし、より簡便かつ直接的に皮膚のたるみ量の実測値を測定する。【選択図】図１
2014004105.tif 000002
【特許請求の範囲】
【請求項１】
被験者を仰向けにした姿勢で皮膚表面に測定点として第１マーク部を設け、さらに計測手段を有する客体で構成される第２マーク部を、前記第１マーク部の中心部と第２マーク部の中心部の位置とが一致するように前記第１マーク部に重ねて設置して構成される被測定部を測定対象とし、
被験者を仰向けにした姿勢で、前記被測定部を含む水平位の皮膚表面を撮影し、
次に、被験者を座位にした姿勢で、前記仰向けにした姿勢で得た撮影画像をモニターに映しながら、仰向けにした姿勢と、座位にした姿勢の被験者の三次元要素が一致するように撮影角度を調整した後、前記被測定部を含む垂直位の皮膚表面を撮影し、
得られた両姿勢での撮影画像を重ね合わせ、各姿勢間における第１マーク部中心部の移動距離を計測し、たるみ量を算出することを特徴とする皮膚のたるみ量の測定方法。
【請求項２】
計測手段を有する客体が目盛り付きシールであることを特徴とする、請求項１に記載の皮膚のたるみ量の測定方法。
【請求項３】
被験者の皮膚に評価対象物質として皮膚外用組成物を使用する前および使用した後において、請求項１乃至２のいずれかに記載の方法を用いて、皮膚のたるみ量を測定し、得られた値から評価対象物質の皮膚のたるみに対する効果を評価することを特徴とする皮膚外用組成物の評価方法。
【発明の詳細な説明】
【技術分野】
【０００１】
本発明は、皮膚のたるみ量を測定する方法、および当該方法を用いた化粧品等の評価方法に関する。
【背景技術】
【０００２】
肌の老化現象のひとつである皮膚のたるみについては、エステティックやマッサージ等の美容施術に代表される物理的方法や、化粧品等による化学的方法、またこれらを組み合わせた方法によって、その改善が試みられている。
その改善効果を確かめるにあたっては、これまで様々な方法が利用されており、例えば、美容施術前後の皮下組織厚や皮下血流量を計測する方法（特許文献１）や、コラーゲンゲルの強度を動的粘弾性試験等により評価する方法（特許文献２）、皮膚のたるみと衝撃波の伝播時間との相関関係に基づき皮膚のたるみ度合いを推定する方法（特許文献３）が知られている。
一方で、画像等を用いた評価方法として、顔の基準点及び測定部位にマーキングを施し、水平位と垂直位顔写真を撮影し、基準点からのマークの移動距離を皮膚の垂直軸方向成分の相対距離値に演算することで皮膚のたるみ量を算出する方法（特許文献４）や、被験肌における定常的に識別可能な肌識別部位を計測対象にし、肌のむくみやたるみ等の被験者の肌形状を立体的な形状値として定量的に表す方法（特許文献５）も知られている。
【０００３】
しかしながら、垂直位の目視によるスコア化においては、たるみの微差を捉えることができず、またほうれい線など変化が目立つ部分以外の評価が困難である。
そこで数値評価として、特許文献４では、皮膚のたるみは重力方向に下がるという考えに基づき、顔面の基準点、及び各測定部位にマーキングを施した後、重力負荷で皮膚がたるまない顔面水平位（仰向け）、及び重力負荷で皮膚がたるむ垂直位（座位）にて正面より顔面写真を撮影し、得られた各測定部位の顔面写真にて、基準点から測定部位までの距離を、正中線と平行な実際の垂直方向成分の値として算出し、水平位と垂直位における本値の差を間接的なたるみ数値として扱うことが記載されている。この技術を用いると、たるみを間接的に測定することは可能であるが、撮影写真上において顔の奥行き、凹凸といった三次元的要素を反映した実測値を得ることが出来なかったことから、写真内に正中線を正確に映りこませることが必須であり、また写真というニ次元平面上で解析を行っていることから、直接的に測定するという点において課題があった。
【０００４】
一方で、測定対象の表面を直接的に測定する方法としては、モアレカメラを用いて、三次元的に垂直位の顔を撮影し、解析する方法（以下、モアレ法）や、３Ｄスキャナ（例えば、非接触型三次元デジタイザＶＩＶＩＤ９１０（商品名；コニカミノルタホールディングズ製）を用いて評価する方法が知られている。しかしながら、モアレ法はモアレカメラによる正確な撮影のため、準暗室にて頭部の固定化等被験者のストレスが強く、簡便さに欠けたり、スポット的な解析には好ましくない。また、ＶＩＶＩＤ９１０を用いた方法では、局所のたるみ全体を把握するのには適しているが、検出限界が０．５ｍｍと大きくスポット的な測定には適していない。
このように、専用の測定機器を用いることなく、皮膚のたるむ方向や角度も含め、簡易かつ精度良く皮膚のたるみを評価する方法が求められていた。
【先行技術文献】
【特許文献】
【０００５】
【特許文献１】特開２０１０−５１７１７号公報
【特許文献２】特許第４２２５５８８号公報
【特許文献３】特開２０１１−１５８６２号公報
【特許文献４】特許第２９４２５０２号公報
【特許文献５】特開２００５−８４０１２号公報
【発明の概要】
【発明が解決しようとする課題】
【０００６】
本発明は、皮膚のたるみを直接的、経時的、かつ、より簡便に評価可能な技術を提供することを課題とする。さらに当該技術を用いた化粧品等の評価方法を提供することに関する。
【課題を解決するための手段】
【０００７】
本発明者らは、たるみ量を直接的に測定したり、微差を捉えることが容易ではなく、また測定部位に制約があった従来技術での問題点を改良すべく、鋭意検討の結果、水平位、垂直位の２姿勢の画像を解析することで皮膚のたるみ量を評価する方法において、水平位の画像撮影時に測定点の周りを囲むように計測手段を備えたマーキングを施し、その計測手段を用いて三次元的な数値を簡便にニ次元平面上で読み取れるようにすることで、たるみを簡便かつ直接的に評価することが可能となることを見出した。
さらに具体的には、水平位の画像撮影時に測定点を設定し、さらにその測定点を中心として、その周りを囲むように計測手段を備えた測定具を適用し、水平位、垂直位の２姿勢の画像を重ね合わせた際に得られる各測定点の変移距離を、前記測定具を用いて解析することで、より簡便かつ直接的に皮膚のたるみ量の実測値を測定することが可能になることを見出した。
また、本方法によると、たるみの角度（たるむ方向）やたるみの経時的な変化も捉えることも可能であり、顔のたるみに限らず、皮膚全体のたるみの評価に応用可能であることを見出し、本発明を完成させるに至った。
【０００８】
本発明は、上記知見に基づき完成されたものであり、下記の方法を提供するものである。
項１．  被験者を仰向けにした姿勢で皮膚表面に測定点として第１マーク部を設け、さらに計測手段を有する客体で構成される第２マーク部を、前記第１マーク部の中心部と第２マーク部の中心部の位置とが一致するように前記第１マーク部に重ねて設置して構成される被測定部を測定対象とし、
被験者を仰向けにした姿勢で、前記被測定部を含む水平位の皮膚表面を撮影し、
次に、被験者を座位にした姿勢で、前記仰向けにした姿勢で得た撮影画像をモニターに映しながら、仰向けにした姿勢と、座位にした姿勢の被験者の三次元要素が一致するように撮影角度を調整した後、前記被測定部を含む垂直位の皮膚表面を撮影し、
得られた両姿勢での撮影画像を重ね合わせ、各姿勢間における第１マーク部の中心部の移動距離を計測し、たるみ量を算出することを特徴とする皮膚のたるみ量の測定方法。
項２．  計測手段を有する客体が目盛り付きシールであることを特徴とする、請求項１に記載の皮膚のたるみ量の測定方法。
項３．  被験者の皮膚に評価対象物質として皮膚外用組成物を使用する前および使用した後において、請求項１乃至２のいずれかに記載の方法を用いて、皮膚のたるみ量を測定し、得られた値から評価対象物質の皮膚のたるみに対する効果を評価することを特徴とする皮膚外用組成物の評価方法。
【発明の効果】
【０００９】
本発明の測定方法は、測定部位の凹凸を反映し、皮膚のたるむ方向や角度も含め、簡易かつ精度良く皮膚のたるみ量を測定する方法である。
また、本発明の測定方法を用いることで、好みの測定部位における皮膚のたるみ量の実測値を簡単に得ることができるが、特に化粧品開発における評価などにおいては、顔部に用いることが有用である。また、本発明の測定方法は、たるみのスポット的な解析に適していることから、化粧品の継続使用における効果等を各塗布部位において評価することで、例えば、美容施術の効果を確認したり、化粧品の長期使用における効果を評価したり、化粧品をどの部位に集中的に使用することで、より高い効果が得られるかなど、ユーザーに対する美容情報の提供に応用することも可能となる。
【００１０】
さらに本発明の測定方法は、顔面をはじめとし、二の腕、太ももなどの手足や、腹部など、全身の皮膚を測定対象とすることができる。また、たるみに対する効果を評価する対象物としても、医薬品、医薬部外品、化粧品などの皮膚外用組成物に限らず、マッサージ、エステティックなどの美容施術や、たるみ解消を目的とした美容機器など、たるみの評価を目的とする対象物全般に使用することができる。
【図面の簡単な説明】
【００１１】
【図１】イメージソフトを用いて被験者の水平位と垂直位の画像を重ね合わせた画像（拡大図）である。
【図２】図１の一部を模式的に示した図である。
【図３】顔の鋳型シートの一例を示す図である。
【図４】被験者の顔面の測定部位を示した図である。
【図５】年代別のたるみ量の変化を表わしたグラフである。
【図６】試験前後におけるたるみ量の変化を表わしたグラフである。
【発明を実施するための形態】
【００１２】
次に本発明の実施の形態を、顔面部の皮膚におけるたるみ量の測定方法を例示し、詳細に説明する。
まずはじめにたるみを測定する部位のマーキングを行う。被験者を水平位とし、その顔面を用いて、皮膚のたるみ量を測定する測定点（以下、被測定部）である各皮膚部位に印（以下、第１マーク部）をつけ、前記第１マーク部を中心として、その第１シール部に重ねるように、目盛り等の計測手段を備えたシール等で、さらに印（以下、第２マーク部）を重ねる。その際、第１マーク部の中心部と第２マーク部の中心部の位置を一致させるようにする。
次に被験者を前記水平位と、重力負荷状態の垂直位である座位とした２姿勢で、頭部が接する台や壁とカメラレンズが平行、かつ一定距離になるように撮影機材をセットして各位における被測定部を含む顔面の画像を撮影する。撮影順序としては、まず被測定部に第１マーク部、第２マーク部の両方を設置した水平位での被験者の顔面部の画像を撮影し、次いで、被測定部に設置した第２マーク部のみを除いてから、被験者を座位とし、被験者の垂直位での顔面部の画像を撮影する。なお、垂直位の撮影の際は、適当なイメージソフトを用い、水平位で撮影した被験者の画像をモニター画面に映し出しながら、水平位と垂直位の顔の向き、角度、傾きなど三次元要素が一致するように位置を調整し、撮影を行う。
以上の手順で撮影した被験者の水平位、垂直位の顔面部の各画像を用いて、皮膚のたるみの絶対量の演算を行うが、まず画像処理ソフトを用いて水平位と垂直位の画像の透明度を調整し、各画像を重ね合わせた合成画像を作成する（図１）。次に、得られた合成画像上で、各被測定部における第１マーク部の移動距離を、第２マーク部の計測手段を用いて測定し、解析ソフト等を用いて、たるみの絶対量として算出する。
【００１３】
ここで、さらに本発明の測定方法にかかる測定条件等について、顔面部の測定を例示して、以下、詳説する。
本発明において水平位とは、被験者を仰向けで寝台に寝かせた状態を示し、後に撮影する垂直位と同じ体勢をとるとの観点から、寝台は柔軟なベッドではなく、体重で身体が沈まない硬い机などを用いることが望ましい。また、垂直位とは被験者を椅子等に座らせ、後頭部、背部を壁に密接させ、背筋首筋を水平位撮影時と同様まっすぐに伸ばさせた状態をさす。
【００１４】
なお、撮影時の顔の向きはカメラから見て正面、横向きいずれでも構わず、目的とする測定部位が見える状態であれば顔の方向性は問わない。
また、水平位、垂直位における撮影方法としては、市販のイメージソフト（例えばMirror Soft    ；  Canfield  Imaging  System製など）を用いて撮影するのが望ましく、撮影に用いるイメージソフトとしては、既に撮影した水平位における被験者の画像と、垂直位における被験者のリアルタイムの画像をモニターに映し出しながら、ライブ画像として同時に取り込んで撮影できるものであればどのようなものでも構わない。
【００１５】
また、被測定部へのマーキングは、まず被験者を水平位にし、被験者の顔面部の各測定部位にペン等で直接、あるいは丸いカラーラベル等のシールを等間隔で貼付することで印をつけ第１マーク部とし、次いで水平位、垂直位における前記第１マーク部の移動量を計測するために、第１マーク部を中心とし、その周囲に何らかの計測手段を有する客体を設置し、第２マーク部とすることで行う。その際、第１マーク部と第２マーク部の中心位置は一致させるようにする。なお、第２マーク部としては、例えば同心円、升目、ドットなど等間隔（例えば１ｍｍ間隔）の目盛りがついた客体を用いると、簡便かつ正確な計測ができ、利便性が高まる。
【００１６】
その他、本発明に用いる第２マーク部については、例えば、被測定部が三次元的に計測できる手段を備えた客体であれば、特に形態、形状、色彩は問わない。例えば、計測手段としては、三次元座標測定機などを用いて被測定部の表面形状から測定する方法や、被測定部を撮影した画像を用いて被測定部の奥行きや凹凸を考慮した三次元的な処理を施し、モニター上で測定する方法や、被測定部に計測具を適用して測定する方法などが挙げられる。なお、被測定部を直接的に計測するという観点においては、計測できる手段を備えた客体として、計測具を用いることが望ましい。
なお、本発明の測定方法では、各被測定部の第１マーク部が水平位、垂直位とすることで中心部の位置が移動し、移動に伴い生じる各位における中心部の間の距離を捉えて、解析することで皮膚のたるみ量を測定しているが、その移動方向が奥行きや角度を伴う場合があること、また顔面部表面にはもともと凹凸があることなど移動距離の解析において、これら三次元要素を考慮する必要があること、また測定時の操作性や測定精度を考慮すると、計測具としては、被測定部に直接貼付できるシール形態（以下、測定シール）が望ましく、測定シールとしては、予め目盛り等が印刷されているもの（以下、目盛り付きシール）がさらに望ましい。また、この測定シールの形状は、たるみの方向があらかじめわかっている場合には、完全な円形である必要性はなく、例えば楕円、半円、１／４円であっても構わない。また大きさにおいても、被測定部での移動量が多く見込まれる場合や、ほとんど移動しない場合もあることから、目的に応じて、適宜設定すればよい。
目盛り付きシールとしては、円盤状で同心円状に目盛りが印刷された丸型方眼紙等で作成したシール状であること（以下、丸型方眼紙シール）が望ましい。また、色彩に関しては、各測定部位の移動距離を捉えやすいことから、透明あるいは半透明であることが望ましい。
【００１７】
本発明に用いる丸型方眼紙シールは、市販の丸型方眼紙を用い、必要なサイズに円形にカットし、それをラベルシートに印刷することで作成できる。なお、印刷に用いるラベルシートは透明、または半透明であると、被測定部において各位での第１シール部の移動距離を計測しやすいことから好ましい。なお、前記のように、本発明にかかる測定方法では、被測定部を設定する際、まず第１マーク部を設定し、そこを中心として、その上から、目盛り等の計測手段を備えたシール等を貼付するなどして、さらに第２マーク部を設定し、その後、被測定部に設置した第２マーク部のみを除くとの操作が加わる。このことから、第1マーク部としてカラーラベル等のシールを用いた場合は、丸型方眼紙シールの中央部分は測定部位にマークするカラーラベルの直径に応じた穴を例えば生検トレパンなどで正確にうち抜いておくと、第２マーク部を除く際の操作性が向上する。なお、測定部位にラベルを貼らず、皮膚にペン等で直接マーキングする場合には、丸型方眼紙シールの中央部は穴を開けておく必要はない。
【００１８】
なお、測定時に第１マーク部としてカラーラベルを用いる場合、カラーラベルのサイズは必要に応じて適宜変更可能であるが、そのサイズに応じて丸型方眼紙シールの中央を打ち抜く必要があるので、できるだけ小さいサイズであることが望ましい。また、たるみの絶対量を測定する上で、カラーラベルの中央に目印があると、より正確な計測ができ、望ましい。
【００１９】
本発明による方法において、被測定部の数については、１箇所乃至２箇所以上、目的に応じて適宜設定できる。例えば、化粧品等の評価において、顔全体に塗布した場合、どの部位に特に効果が高いかを評価する際は、顔の中心部から顔の外側部にかけて上下方向、左右に等間隔で測定点を複数設定すれば良い。ただし、正確に測定するとの観点から、各測定点における目盛り付きシールが相互に重ならないよう、測定部位の間隔を設定することが望ましい。
【００２０】
また、撮影した水平位、垂直位の画像を用いて、皮膚たるみの絶対量の計算演算を行う際、適宜、画像処理ソフト（例えば、ＧＩＭＰ２．６）を用いて水平位と垂直位の画像に対し、透明度を変更し、重ね合わせた画像を作成するが、その透明度については、本操作の目的を達成できれば特に規定されず、各撮影画像の明るさや鮮やかさなどの状態を踏まえて、適宜設定できる。
【００２１】
以下、第２マーク部として、目盛り幅１ｍｍの丸型方眼紙を透明ラベルシートに印刷して作成した丸型方眼紙シールを用いた場合のたるみ量の算出手段について図２を用いて説明する。
ここでは、はじめに被験者を水平位にして設定した第１マーク部（Ｐ１）と、被験者を座位にすることで移動した第１マーク部（Ｐ２）の各中心部の移動距離（Ｚ＋Ｙ）がたるみ量となるが、両位での撮影画像を重ね合わせることで、前記の移動距離を、丸型方眼紙シールの目盛りから計測される距離（Ｚ）と解析媒体上での測定値（Ｘ、Ｙ）を用いて、下記式（１）から算出している。
なお、図２のＺ部分の計測値は皮膚の膨らみや奥行き等の三次元要素を反映した数値で、丸型方眼紙の目盛りよりそのまま算出できるが、残りのＹについては、解析媒体、すなわちモニター画面上の測定値となり、Ｘの相対値として計測される。そこで、式（１）では、丸型方眼紙シールの目盛り幅（Ａ）から、Ｚ部分の計測値への換算も併せて行っている。
【式１】
【００２２】
たるみ量（ｍｍ）＝Ｚ（ｍｍ）＋Ａ×Ｙ÷Ｘ
Ａ：丸型方眼紙シールの目盛り幅（単位；ｍｍ）
Ｘ、Ｙ：解析媒体上での測定値 （単位；ピクセル等）
Ｚ：第１マーク部の中心部の移動距離のうち、丸型方眼紙シールの目盛り幅から目視で算出される距離（ｍｍ）
【００２３】
本発明による方法を用いて、経時的に皮膚のたるみ量を測定する場合には、各測定回ごとに、同じ被測定部位におけるたるみ量を継続して測定する必要がある。そこで、例えば顔で測定する場合には、柔軟性のある透明シートなどで図３に示すような、シミやホクロ、しわなど被験者個人の顔の特徴をトレースした顔の鋳型シートを作ることが好ましい。例えば目的の測定部位を直径３ｍｍのシールにてマーキングする場合には、初回測定時に本シートに直径３ｍｍの穴を必要間隔で必要な数開けておくことで、測定の度に同じ部位にマークを付けることが可能となる。なお、被測定部の撮影方法は前記撮影方法に準じる。また、たるみの解析方法は、前記たるみ量の算出方法に準じて各測定回ごとの水平位と垂直位の撮影画像を重ね合わせてたるみの絶対量を算出し、この絶対量を比較することで経時的な変化を追うことができる。
【実施例】
【００２４】
以下、本発明を実施例を挙げてより詳細に説明するが、本発明はこれらの実施例に限定されるものではない。
【００２５】
実施例１．被測定部によるたるみ量と年齢との関係
２０代から５０代まで年代別に、女性被験者の顔面のたるみ量を測定した。被験者の年齢層については、２０代１２名（平均年齢２５±２.７歳）、３０代１４名（平均年齢３４±３.１歳）、４０代１８名（平均年齢４３±２.５歳）、５０代９名（平均年齢５３±１.９歳）とした。
たるみ量を評価する被測定部として、被験者の左頬に、目の横より口角の下部まで２ｃｍ間隔で４箇所、直径３ｍｍもしくは５ｍｍのカラーラベルと、中心部に穴を開けた前記丸型方眼紙シールを用いてマーキングを施し、次いでそこから耳側に向かって並行に４箇所３列、鼻側に３箇所１列マーキングを施し、被測定部とし、図４に示すように計１５ヵ所設定した。
被測定部の撮影時においては、画像撮影用カメラに対して約３０度左に被験者の顔を傾け、水平位の写真を撮影した。撮影にはデジタルカメラを使用し、イメージソフト（Mirror
Soft    ；  Canfied  Imaging  System製）にて映像をパソコンに取り込んだ。垂直位撮影時には、本イメージソフトにて水平位撮影時の写真と重ね合わせながら顔の向きや角度を調節した。カメラは水平位撮影の寝台、及び垂直位撮影の壁から一定の位置にレンズが来るように設置した。なお、たるみの絶対量は前記算出方法に従い、水平位、垂直位の撮影画像を透明度５０％で重ね合わせた合成画像から、各被測定部におけるカラーラベルの中心部の移動距離を式１に従って算出した。
【００２６】
図５に結果を示す。各年代に共通して、顔の外側（フェイスライン部分）になるにつれてたるみ量が大きくなる傾向が見られた。また、年代別のたるみ量の比較においては、全測定箇所を通して５０代が最もたるみ量が多かった。さらに、２０代・３０代と比べ、４０代・５０代ではフェイスラインの特に下側でのたるみ量が顕著に増加することがわかった。これらの結果により、本測定方法では、顔の中でのたるみやすい位置、たるみにくい位置を検出すること、年齢によりたるみやすい位置、変化がでにくい位置を検出することが可能で、全体としてはたるみ量は加齢に伴い、特に４０代・５０代以降で顕著になってくることがわかった。
【００２７】
実施例２．顔のたるみの変化を経時的に測定する方法
３９歳から５７歳（平均年齢４５±５.５歳)の女性被験者２４名を対象に、試験製剤１（クリーム剤）を１日２回（朝、夜）洗顔後、被験者が日常的に使用している基礎化粧品と共に１２週間顔全体に塗布し、試験製剤1を使用する前（試験開始時）試験製剤1を１２週間使用した後（試験終了時）における各測定部位でのたるみ量を測定した。
試験開始時および試験終了時において同じ部位を測定するため、図３に示すような顔の鋳型シートを作成した。たるみ量を評価する被測定部として、実施例１と同様の方法で被験者の左頬に、目の横より口角の下部まで２ｃｍ間隔で４箇所、マーキングを施し、次いでそこから耳側に向かって並行に４箇所３列、鼻側に３箇所１列マーキングを施し、被測定部とした。被測定部の撮影方法、たるみの絶対量の算出方法は実施例１に準じて行った。なお、試験終了時における皮膚のたるみ量を評価する際の被測定部は、前記顔の鋳型シートを用いて、試験開始時に設定した被測定部と同じ位置になるように設定した。
【００２８】
図６に結果を示す。試験製剤１の継続使用の前後における皮膚のたるみ量の測定結果から、縦方向では顔の最も外側、また上下方向においては、最も下側に位置する被測定部において、たるみ量が大きく減少したことが確認できた。この結果から、試験製剤１を１２週間使用することで、試験開始前と比較して、特にフェイスライン部分のたるみに対し、試験製剤１が有用であることが確認された。このことは、試験製剤１を特にフェイスラインに沿って使用し続けることで、フェイスラインのたるみが顕著に改善することを示している。さらにこの情報を利用することで、店頭等におけるユーザーへの美容情報の提供に、本試験方法が有効に利用できることがわかる。
【００２９】
試験製剤１の処方（単位；重量％）
（成分）                              
濃グリセリン    ６．０
ポリオキシプロピレングルコシド
２．０
１，３−ブチレングリコール    ６．０
カルボキシビニルポリマー    ０．４
ヒドロキシプロピルデンプンリン酸    ０．８
プルラン    ０．２
モノステアリン酸ソルビタン    １．５
イソステアリン酸ポリオキシエチレンソルビタン（２０Ｅ.Ｏ．）    １．５
シア脂    １．０
スクワラン    ５．０
トリ（カプリル・カプリン酸）グリセリル    ８．０
トリ２−エチルヘキサン酸グリセリル    ２．０
メドウフォーム油     １．０
トリ（カプリル・カプリン・ミリスチン・ステアリン酸）グリセリル    ０．５
白色ワセリン    １．０
ベヘニルアルコール    １．０
ステアリルアルコール     １．０
メチルポリシロキサンと高重合メチルポリシロキサン（１）の混合液（ＢＹ１１−０１４）      
２．０
ヒアルロン酸ナトリウム    ０．０１
テトラペプチド−５    ０．０１
大豆たん白加水分解物     ０．５
褐藻エキス    ０．５
紅藻エキス    ０．５
緑藻エキス    ０．５
アスパラゴプシスアルマタエキス
０．５
グルコン酸亜鉛    ０．０５
グルコン酸銅    ０．０５
加水分解エラスチン    ０．０５
キレート剤    適量
防腐剤（パラオキシ安息香酸メチル、パラオキシ安息香酸プロピル）    適量
ｐＨ調整剤    適量
香料    適量
精製水    残部
合計    １００
【産業上の利用可能性】
【００３０】
本発明の測定方法は、測定部位の凹凸を反映し、皮膚のたるむ方向や角度も含め、簡易かつ精度良く皮膚のたるみを好適に評価することができる。
また、本発明の測定方法を用いることで、化粧品継続使用における効果を評価したり、美容施術の効果を確認したり、またどの部位に集中的に使用することでより効果が得られるかなど、ユーザーに対する美容情報を提供することができる。
【図１】
2014004105.tif 000003
【図２】
2014004105.tif 000004
【図３】
2014004105.tif 000005
【図４】
2014004105.tif 000006
【図５】
2014004105.tif 000007
【図６】
2014004105.tif 000008